(57)【要約】【課題】計量本体の内部を操作体の先部で上下に仕切って、この先部上方の部分を計量室とするとともに、先部下方の部分を補助空間とし、計量室内に被計量物を計量した後に操作体を引くことで被計量物が計量本体からこぼれないようにした計量器具を提案する。【解決手段】底壁６から起立する周壁８の後部にスリット１０を横設した計量本体２と、  この計量本体内にスリット１０を介して先部16ａを挿入した操作体１６とを具備し、  操作体１６の先部16ａ上方の周壁８部分を計量室２０とするとともに、操作体の先部16ａとこの先部と向かい合う底壁部分との間に、上記計量室２０内部と遮断された補助空間２２を形成し、上記操作体１６を外側に引くことで計量室２０内に充填した被計量物が補助空間２２内へ流入することが可能に設けている。【選択図】  図１
2009036596.tif 000002
【特許請求の範囲】
【請求項１】
底壁６から起立する周壁８の後部にスリット１０を横設した計量本体２と、
この計量本体内にスリット１０を介して先部16ａを挿入した操作体１６とを具備し、
操作体１６の先部16ａ上方の周壁８部分内部を計量室２０とするとともに、操作体の先部16ａとこの先部と向かい合う底壁部分との間に、上記計量室２０内部と遮断された補助空間２２を形成し、上記操作体１６を外側に引くことで計量室２０内に充填した被計量物が補助空間２２内へ流入することが可能に設けたことを特徴とする、計量器具。
【請求項２】
上記計量本体２は、上記周壁８のうちスリット近傍の後壁部分から柄部１２を後方突出してスプーン状となし、
この柄部に沿って操作体１６の基部16ｃをスライド自在に添設したことを特徴とする、請求項１記載の計量器具。
【請求項３】
上記底壁６の後半部を前半部より低く形成するとともに、この後半部の底部と操作体１６の先部16ａとを向かい合わせたことを特徴とする、請求項１又は請求項２記載の計量器具。
【請求項４】
上記柄部１２の下方にスリット１０を位置させるとともに、柄部１２に前後方向に切り溝１４を穿設し、上記操作体１６は切り溝１４を通って基部16ｃを柄部１２の上面側へ突出したことを特徴とする請求項１から請求項３の何れかに記載の計量器具。
【発明の詳細な説明】
【技術分野】
【０００１】
本発明は、計量器具、特にスプーン形状の計量器具に関する。
【背景技術】
【０００２】
従来、スプーンの掬い部の容量を、洗剤などの一回分の使用量に対応させた計量スプーンが知られている（特許文献１）。
【特許文献１】特開２００４−１９１２４８号
【発明の開示】
【発明が解決しようとする課題】
【０００３】
特許文献１の計量スプーンは、洗剤などの被計量物を掬い部の上周縁まで一杯に満たすことで所定量を計量するように設計されている。従って図１０に示す如くスプーンＰで被計量物を掬った後食器洗浄機Ｗなどに移動するまでの間に、被計量物を掬い部の外にこぼしてしまう可能性があった。
【０００４】
本発明は、計量本体の内部を操作体の先部で上下に仕切って、この先部上方の部分を計量室とするとともに、先部下方の部分を補助空間とし、計量室内に被計量物を計量した後に操作体を引くことで被計量物の嵩が低くなることで計量本体からこぼれないようにした計量器具を提案することを目的とする。
【課題を解決するための手段】
【０００５】
第１の手段は、
底壁６から起立する周壁８の後部にスリット１０を横設した計量本体２と、
この計量本体内にスリット１０を介して先部16ａを挿入した操作体１６とを具備し、
操作体１６の先部16ａ上方の周壁８部分内部を計量室２０とするとともに、操作体の先部16ａとこの先部と向かい合う底壁部分との間に、上記計量室２０内部と遮断された補助空間２２を形成し、上記操作体１６を外側に引くことで計量室２０内に充填した被計量物が補助空間２２内へ流入することが可能に設けている。
【０００６】
本手段は、計量本体の有底周壁内部を、この周壁を貫通する操作体の先部で上下に仕切って計量室と補助空間とし、計量室内に被計量物を満たして計量した後に、操作体を外方に引くことで計量室内の被計量物を補助空間内に落下させ、被計量物の嵩が低くなることで周壁の外に落ちないようにしている。
【０００７】
「計量本体」は、少なくとも底壁と周壁とで形成される収納凹部（掬い部）を有し、周壁に穿設した横長のスリットを介して挿入した操作体の先部で収納凹部を、上側の計量室と下側の補助空間とに分割している。計量本体は掬い部と柄部とからなるスプーン型に形成することが望ましい。
【０００８】
「底壁」は、図８の如く平坦な一枚の壁で形成することもできるが、図１、図９の如く底壁の任意の一部を周囲に対して陥没させ、この陥没部内に補助空間を形成してもよい。
【０００９】
「計量室」は、周壁の上端を面一に形成することで、室内に顆粒状或いは粉状の被計量物を計量することができるように設けている。
【００１０】
「スリット」は、操作体の先部の前面形状に対応して先部を緊密に挿入できるように形成し、この先部とスリットの孔縁との隙間から被計量物がこぼれないようにしている。
【００１１】
「補助空間」は、計量後に計量室内の被計量物の一部を流下させ、収納するための副収納室である。そうすることで被計量物の表面を下降させることができる。その降下幅は被計量物が周壁の外にこぼれない程度でよい。従って補助空間の容量は所要の降下幅を得るのに必要な大きさであればよく、少なくとも計量室自体の容量より小さいことが好適である。
【００１２】
「操作体」は、計量本体に対して前後動させることで、計量室と補助空間とを遮断し、或いは連通させることができるように形成している。操作体のうち少なくとも先部はスリットを介して挿入可能な差込板部に形成するとよい。
【００１３】
第２の手段は、第１の手段を有し、かつ
上記計量本体２は、上記周壁８のうちスリット近傍の後壁部分から柄部１２を後方突出してスプーン状となし、
この柄部に沿って操作体１６の基部16ｃをスライド自在に添設している。
【００１４】
本手段では、計量本体を保持することが容易であるとともに、操作体の操作が容易となるような形態を提案している。即ち、計量本体をスプーン型とするとともに、スプーンの柄部に沿って操作体の基部（後部）を設けることで、柄部を握る手で基部をスライドさせることができるように形成している。
【００１５】
操作体の基部は、操作体のうち指で操作する部分である。この基部は図３の如く柄部の上面側に表れるようにすると、利用者にとって当該基部を操作すればよいことが一見して判り、扱いが容易となる。この図示例では柄部に穿設した切り溝を挿通して操作体の基部を柄部上方に突出させているが、こうした構造は適宜変更することができる。例えば操作板の基部を筒状に形成して柄部にスライド自在に嵌合させてもよい。
【００１６】
第３の手段は、第１の手段又は第２の手段を有し、かつ
上記底壁６の後半部を前半部より低く形成するとともに、この後半部の底部と操作体１６の先部16ａとを向かい合わせている。
【００１７】
本手段では、底壁の前半部より低い後半部と操作体の先部との間に補助空間を形成するようにしている。こうした構成としたのには２つ理由がある。第１に、前述のように補助空間は計量後の被計量物が周壁から外にこぼれない程度の容量があれば足り、計量室に比べて大きすぎると、スプーンの掬い部が必要以上に嵩張ることになって都合が悪いのである。第２に、単に計量室に対して補助空間の容量を小さくするのであれば、それぞれの平面面積を同じとし、計量室の上下幅に比べて補助空間の上下幅を小さくすることも可能である。しかし、そのようにすると図１に示す如く計量室の上面開口が比較的広く、前後の幅が大きい場合には、その前後幅に応じて操作体を後方に引く距離が長くなり、利用者にとって不便である。これに対して上記の如く底壁の後半部側に補助空間を形成すれば操作体を後退させる距離は小さくなり、扱い易い。
【００１８】
第４の手段は、第１の手段から第３の手段を有し、かつ
上記柄部１２の下方にスリット１０を位置させるとともに、柄部１２に前後方向に切り溝１４を穿設し、上記操作体１６は切り溝１４を通って基部16ｃを柄部１２の上面側へ突出している。
【００１９】
この構成によれば、操作体１６を柄部の切り溝に挿通させたので、操作体が柄部から外れにくい。
【発明の効果】
【００２０】
第１の手段に係る発明によれば、操作体１６を引くことで計量室２０内の被計量物が補助空間２２内に流入し、被計量物の表面が下降するので、被計量物が周壁８の外へこぼれることを防止できる。
【００２１】
第２の手段に係る発明によれば、操作体１６の後部を柄部１２に沿ってスライド自在に添設したから、操作体の扱いが容易である。
【００２２】
第３の手段に係る発明によれば、上記底壁６の後半部を前半部より低く形成するとともに、この後半部の底部と操作体１６の先部16ａとを向かい合わせたから、操作体１６のスライド範囲を小さくすることができ、操作が更に容易となる。
【００２３】
第４の手段に係る発明によれば、操作体１６を柄部の切り溝１４に挿通させたので、操作体が柄部から外れてしまうことがない。
【発明を実施するための最良の形態】
【００２４】
図１から図９は本発明の実施形態に係る計量器具を示している。
【００２５】
この計量器具は、計量本体２と操作体１６とで形成している。
【００２６】
計量本体２は、スプーン形状に形成されており、被計量物の収納部４と柄部１２とで形成している。
【００２７】
上記収納部４は、スプーンの掬い部に相当する箇所であるが、被計量物が周囲にこぼれにくいようにやや深い有底筒形に形成している。即ち、収納部４は、底壁６の周縁から周壁８を起立してなる。底壁６は、図１に示す如く前半部６ａに比べて後半部６ｂを陥没させている。周壁８の左右側壁部８ｂは図２に示す如くほぼ平行に形成されており、また、周壁の後壁部８ａには、底壁の前半部６ａに対応する高さで、横長のスリット１０を穿設している。このスリットは周壁の左右両壁部の間隔に相当する左右長さを有する。
【００２８】
上記柄部１２は、周壁８の後壁部上端から後方へ突出している。この柄部は平板状に形成されており、その板部の前後方向中間部分に切り溝１４が穿設されている。
【００２９】
操作体１６は、先部１６ａと中間部１６ｂと基部１６ｃとで形成されており、計量本体２に対して前後動可能に付設されている。
【００３０】
上記先部１６ａと基部１６ｃとはそれぞれ水平板状である。また中間部１６ｂは、図１の如く先部の後端から起立板部を介して横板部を後方突出した側面視ほぼＬ字形であり、その横板部の後端から段差部１８を介して基部１６ｃを突出している。先部１６ａは上記スリット１０を介して収納部４内に挿入され、その先部の上端部分は底壁の前半部６ａ後縁に当接している。操作体の先部は、被計量物が顆粒状或いは粉状の被計量物であるので、少なくとも当該被計量物がこぼれださない程度に緊密に上記スリットに嵌合させるものとする。操作体の中間部１６ｂの起立板は周壁の後壁部後面に、また中間部の横板部は柄部の根元部下面にそれぞれ当接している。そして段差部１８を切り溝１４に挿通させて、基部１６ｃを柄部の上面にスライド可能に当接させている。また基部の上面は指止め用の粗面に形成している。
【００３１】
上記操作体の先部１６ａにより、収納部４の内部を計量室２０と補助空間２２とに分割している。計量室２０は、操作体の先部１６ａ及び底壁前半部６ａとの各上面及び周壁８内面とで形成されており、また補助空間２２は先部１６ａ下面と底壁の後半部６ｂ上面との間に形成している。
【００３２】
上記構成において、図１の状態から計量室２０内に被計量物である洗剤を図６の如く周壁上端まで入れて計量し、次に操作体１６を後退させると、先部１６ａの仕切りが解除されて計量室内の洗剤が補助空間２２内に流入し、計量室内の洗剤の表面が図７の如く下降するので、この状態で洗剤を使用する場所までこぼさずに運ぶことができる。なお、被計量物は洗剤に限定されるものに限られないのはいうまでもなく、計量室に入れた状態で外にこぼす可能性のある流動性のあるものであれば、本発明の計量器具を適用するメリットがある。
【００３３】
なお、上記の実施形態は計量本体に柄を付設したタイプであるが、図示の構成で柄を省略することができる。もっとも図示例の構成では、柄に沿って操作本体の前後動を案内していたので、柄を省略するときには、例えば周壁の左右両壁部の内面に操作体の先部の両側と係合する案内溝などを横設するなどして操作体のがたつきを防止するとよい。また図示の操作体の構成のうち中間部横板及び基部は一枚の摘み片とするとよい。
【００３４】
図８は本発明の第１の変形例である。即ち、底壁を一枚の平坦な壁に形成し、底壁全体と操作板の先部との間に補助空間２２を形成している。
【００３５】
図９は本発明の第２の変形例である。この例では、底壁の中央部を陥没させて、この陥没部の上面を操作体の先部で閉塞することで、陥没部内部を補助空間２２としている。
【図面の簡単な説明】
【００３６】
【図１】本発明の実施形態に係る計量器具の縦断面図である。
【図２】図１の計量器具の平面図である。
【図３】図１の計量器具の斜視図である。
【図４】図１の計量器具の操作体を後退させた状態の斜視図である。
【図５】図４の状態の平面図である。
【図６】図１の計量器具の使用状態の第１段階の説明図である。
【図７】図１の計量器具の使用状態の第２段階の説明図である。
【図８】図１の計量器具の第１の変形例の縦断面図である。
【図９】図１の計量器具の第２の変形例の縦断面図である。
【図１０】従来の計量スプーンの斜視図及びその使用例を示す図である。
【符号の説明】
【００３７】
２…計量本体  ４…収納部  ６…底壁  ６ａ…同前半部  ６ｂ…同後半部
８…周壁  ８ａ…同後壁部  ８ｂ…同左右側壁部
１０…スリット  １２…柄部  １４…切り溝  １６…操作体
１６ａ…先部  １６ｂ…中間部  １６ｃ…基部  １８…段差部
２０…計量室  ２２…補助空間
【図１】
2009036596.tif 000003
【図２】
2009036596.tif 000004
【図３】
2009036596.tif 000005
【図４】
2009036596.tif 000006
【図５】
2009036596.tif 000007
【図６】
2009036596.tif 000008
【図７】
2009036596.tif 000009
【図８】
2009036596.tif 000010
【図９】
2009036596.tif 000011
【図１０】
2009036596.tif 000012